(57)【特許請求の範囲】
【請求項１】
ペアリングされた他端末との間でデータを送受信可能な通信端末であって、
前記他端末で閲覧されていたコンテンツを特定するための閲覧履歴情報に含める対象とするコンテンツの種別を指定する情報を含む要求情報を前記他端末に送信することにより、前記種別のコンテンツを含む前記閲覧履歴情報を前記他端末から取得する取得部と、
前記取得部が前記閲覧履歴情報を取得したことを示すアイコン画像を、前記アイコン画像を表示する領域を有するアイコン表示画面内に表示し、前記アイコン画像が選択されたことに応じて、前記閲覧履歴情報に対応するコンテンツを表示させる表示制御部と、
を有する通信端末。
【請求項２】
前記取得部は、前記他端末で閲覧されていた複数のコンテンツのうち、前記要求情報を送信した時点以前において最後に閲覧されていたコンテンツを特定するための前記閲覧履歴情報を前記他端末から取得する、
請求項１に記載の通信端末。
【請求項３】
前記取得部は、前記他端末で閲覧されていた複数のコンテンツの閲覧履歴が含まれる前記閲覧履歴情報を取得し、
前記表示制御部は、前記閲覧履歴情報が示す複数のコンテンツのそれぞれに対応するアイコン画像を表示させる、
請求項１に記載の通信端末。
【請求項４】
前記表示制御部は、前記アイコン表示画面が解除されてから所定の時間が経過するまでの間、前記アイコン画像を表示させ、前記所定の時間が経過した後に、前記アイコン画像の表示を停止させる、
請求項３に記載の通信端末。
【請求項５】
前記表示制御部は、前記他端末におけるコンテンツの閲覧履歴と前記通信端末におけるコンテンツの閲覧履歴との一部を重ねて表示させるように構成された画面データを表示させる、
請求項３又は４に記載の通信端末。
【請求項６】
前記取得部は、前記閲覧履歴情報に含める対象とするコンテンツの種別として、前記通信端末にインストールされているアプリケーションソフトの種類に対応するコンテンツの前記閲覧履歴情報を要求するための要求情報を前記他端末に送信する、
請求項１に記載の通信端末。
【請求項７】
前記表示制御部は、直近に閲覧されたコンテンツが手前に表示されるように構成された画面データを表示させる、
請求項５に記載の通信端末。
【請求項８】
前記アイコン表示画面は、前記通信端末のユーザ以外が無断で前記通信端末の記憶媒体に記憶されているコンテンツにアクセスすることを防ぐロック画面である、
請求項１から７のいずれか１項に記載の通信端末。
【請求項９】
前記表示制御部は、前記他端末から取得した前記閲覧履歴情報に基づいて特定される前記他端末におけるコンテンツの閲覧履歴とともに、自端末におけるコンテンツの閲覧履歴を表示させる、
請求項１から８のいずれか１項に記載の通信端末。
【請求項１０】
前記表示制御部は、前記他端末におけるコンテンツの閲覧履歴と前記自端末におけるコンテンツの閲覧履歴とを、画面内のそれぞれ異なる領域に表示させる、
請求項９に記載の通信端末。
【請求項１１】
前記取得部は、前記表示制御部が前記アイコン表示画面を表示した後に、前記他端末で閲覧されていたコンテンツを特定するための前記閲覧履歴情報を前記他端末から取得する、
請求項１から１０のいずれか１項に記載の通信端末。
【請求項１２】
ペアリングされた他端末で閲覧されていたコンテンツを特定するための閲覧履歴情報に含める対象とするコンテンツの種別を指定する情報を含む要求情報を前記他端末に送信することにより、前記種別のコンテンツを含む前記閲覧履歴情報を前記他端末から取得するステップと、
前記閲覧履歴情報を取得したことを示すアイコン画像を、前記アイコン画像を表示する領域を有するアイコン表示画面内に表示し、前記アイコン画像が選択されたことに応じて、前記閲覧履歴情報に対応するコンテンツを表示させるステップと、
を有するコンテンツ表示方法。
【請求項１３】
ペアリングされた他端末との間でデータを送受信可能な通信端末のコンピュータに、
前記他端末で閲覧されていたコンテンツを特定するための閲覧履歴情報に含める対象とするコンテンツの種別を指定する情報を含む要求情報を前記他端末に送信することにより、前記種別のコンテンツを含む前記閲覧履歴情報を前記他端末から取得するステップと、
前記閲覧履歴情報を取得したことを示すアイコン画像を、前記アイコン画像を表示する領域を有するアイコン表示画面内に表示し、前記アイコン画像が選択されたことに応じて、前記閲覧履歴情報に対応するコンテンツを表示させるステップと、
を実行させるためのプログラム。
【発明の詳細な説明】
【技術分野】
【０００１】
本発明は、通信端末、コンテンツ表示方法、及び通信端末用のプログラムに関する。
【背景技術】
【０００２】
従来、電子機器で閲覧されていたコンテンツを、他の電子機器で継続して閲覧できるようにする方法が知られている。特許文献１には、テレビで閲覧されていたコンテンツを携帯端末で閲覧できるようにするための制御方法が開示されている。
【先行技術文献】
【特許文献】
【０００３】
【特許文献１】特開２０１３−１４３１５４号公報
【発明の概要】
【発明が解決しようとする課題】
【０００４】
従来の制御方法においては、テレビで閲覧していたコンテンツを継続して携帯端末で閲覧するために、コンテンツが閲覧されていたテレビにおいて、継続して閲覧するための操作をする必要があった。したがって、ユーザが、継続して閲覧するための操作をし忘れてしまうと、ユーザは携帯端末でコンテンツを閲覧することができなかった。また、ユーザは、継続して閲覧するための操作をすることなくテレビでの閲覧を終了した後に、携帯端末でコンテンツの続きを閲覧したいと思ったとしても、携帯端末でコンテンツの続きを閲覧することができなかった。
【０００５】
そこで、本発明はこれらの点に鑑みてなされたものであり、他の電子機器でコンテンツの続きを閲覧しやすくすることができる通信端末を提供することを目的とする。
【課題を解決するための手段】
【０００６】
本発明の第１の態様においては、ペアリングされた他端末との間でデータを送受信可能な通信端末であって、前記他端末で閲覧されていたコンテンツを特定するための閲覧履歴情報を前記他端末から取得する取得部と、前記取得部が前記閲覧履歴情報を取得したことを示すアイコン画像を、前記アイコン画像を表示する領域を有するアイコン表示画面内に表示し、前記アイコン画像が選択されたことに応じて、前記閲覧履歴情報に対応するコンテンツを表示させる表示制御部と、を有する通信端末を提供する。
【０００７】
前記取得部は、前記閲覧履歴情報を要求するための要求情報を前記他端末に送信し、前記他端末で閲覧されていた複数のコンテンツのうち、前記要求情報を送信した時点以前において最後に閲覧されていたコンテンツを特定するための前記閲覧履歴情報を前記他端末から取得してもよい。
【０００８】
また、前記取得部は、前記閲覧履歴情報を要求するための要求情報を前記他端末に送信することにより、前記他端末で閲覧されていた複数のコンテンツの閲覧履歴が含まれる前記閲覧履歴情報を取得し、前記表示制御部は、前記閲覧履歴情報が示す複数のコンテンツのそれぞれに対応するアイコン画像を表示させてもよい。この場合、前記表示制御部は、前記ロック画面が解除されてから所定の時間が経過するまでの間、前記アイコン画像を表示させ、前記所定の時間が経過した後に、前記アイコン画像の表示を停止させてもよい。
【０００９】
前記取得部は、前記閲覧履歴情報に含める対象とするコンテンツの種別を指定する情報を含む前記要求情報を前記他端末に送信してもよい。この場合、前記取得部は、前記閲覧履歴情報に含める対象とするコンテンツの種別として、前記通信端末の特性に対応するコンテンツの前記閲覧履歴情報を要求するための要求情報を前記他端末に送信してもよい。
【００１０】
また、前記取得部は、前記他端末において閲覧の途中であったコンテンツの前記閲覧履歴情報を前記他端末から取得してもよい。また、前記取得部は、前記コンテンツにおける閲覧状態を示す情報を含む前記閲覧履歴情報を前記他端末から取得してもよい。
【００１１】
前記表示制御部は、前記他端末から取得した前記閲覧履歴情報に基づいて特定される前記他端末におけるコンテンツの閲覧履歴とともに、自端末におけるコンテンツの閲覧履歴を表示させてもよい。この場合、前記表示制御部は、例えば、過去にコンテンツを閲覧した順番に、前記他端末におけるコンテンツの閲覧履歴と前記自端末におけるコンテンツの閲覧履歴とを混在して表示させる。前記表示制御部は、前記他端末におけるコンテンツの閲覧履歴と前記自端末におけるコンテンツの閲覧履歴とを、画面内のそれぞれ異なる領域に表示させてもよい。
【００１２】
前記取得部は、例えば、前記表示制御部が前記アイコン表示画面を表示した後に、前記他端末で閲覧されていたコンテンツを特定するための前記閲覧履歴情報を前記他端末から取得する。
【００１３】
本発明の第２の態様においては、ペアリングされた他端末で閲覧されていたコンテンツを特定するための閲覧履歴情報を前記他端末から取得するステップと、前記閲覧履歴情報を取得したことを示すアイコン画像を、前記アイコン画像を表示する領域を有するアイコン表示画面内に表示し、前記アイコン画像が選択されたことに応じて、前記閲覧履歴情報に対応するコンテンツを表示させるステップと、を有するコンテンツ表示方法を提供する。
【００１４】
本発明の第３の態様においては、ペアリングされた他端末との間でデータを送受信可能な通信端末のコンピュータに、前記他端末で閲覧されていたコンテンツを特定するための閲覧履歴情報を前記他端末から取得するステップと、前記閲覧履歴情報を取得したことを示すアイコン画像を、前記アイコン画像を表示する領域を有するアイコン表示画面内に表示し、前記アイコン画像が選択されたことに応じて、前記閲覧履歴情報に対応するコンテンツを表示させるステップと、を実行させるためのプログラムを提供する。
【発明の効果】
【００１５】
本発明によれば、他の電子機器でコンテンツの続きを閲覧しやすくすることができるという効果を奏する。
【図面の簡単な説明】
【００１６】
【図１】第１の実施形態に係る通信システムの構成を示す図である。
【図２】継続閲覧機能の概要を説明するための図である。
【図３】通信端末の構成を示す図である。
【図４】画面生成部が生成する閲覧履歴一覧画面の例を示す図である。
【図５】通信システムにおける動作シーケンスを示す図である。
【図６】通信端末において電源ボタンが押されてからの動作シーケンスを示す図である。
【図７】変形例におけるアイコン画像を表示した状態の画面の一例を示す図である。
【図８】変形例２に係る画面の例を示す図である。
【図９】変形例３における動作シーケンスを示す図である。
【発明を実施するための形態】
【００１７】
［通信システムＳの概要］
図１は、第１の実施形態に係る通信システムＳの構成を示す図である。通信システムＳは、無線通信回線Ｗを介して互いにデータを送受信することができる通信端末１及び通信端末２を含んでいる。通信端末１及び通信端末２は、タブレット、スマートフォン及びコンピュータ等のように、通信機能及び表示機能を有する端末である。図１においては、通信端末１がタブレットであり、通信端末２がスマートフォンである例を示しているが、通信端末１及び通信端末２は、通信機能及び表示機能を有する電子機器であれば任意の電子機器でよい。
【００１８】
通信端末１は、電源ボタンＰ１及び表示部１２を有している。同様に、通信端末２は、電源ボタンＰ２及び表示部２２を有している。通信端末１及び通信端末２は、内部の記憶媒体に記憶されたコンテンツ、及びネットワークを介してサーバから取得したコンテンツを、それぞれ表示部１２及び表示部２２に表示することができる。
【００１９】
通信端末１及び通信端末２は、互いにデータを送受信できるようにペアリングされている。無線通信回線ＷがＢＬＥ（Bluetooth（登録商標） Low Energy）である場合、ユーザが、通信端末１と通信端末２とをペアリングするための操作をすることにより、通信端末１及び通信端末２は、互いの識別情報（以下、「端末ＩＤ」という）を取得して、他方の端末ＩＤを、内部の記憶媒体に記憶する。その後、通信端末１及び通信端末２は、ＢＬＥを介して互いにデータを送受信できる。通信端末１及び通信端末２が連動して動作することにより、ユーザが一方の端末で閲覧していたコンテンツの続きを、他方の端末で継続して閲覧することができる。本明細書において、一方の端末で閲覧していたコンテンツの続きを他方の端末で継続して閲覧する機能を「継続閲覧機能」という。
【００２０】
図２は、継続閲覧機能の概要を説明するための図である。以下、通信端末２で閲覧していたコンテンツを通信端末１において継続閲覧する場合の動作の概要を説明する。
【００２１】
図２（ａ）は、通信端末２で画像コンテンツを閲覧しているユーザが、通信端末１の電源ボタンＰ１を押した後に表示される画面を示している。表示部１２には、ロック画面が表示されており、ロック画面の左下には、通信端末２で閲覧していたコンテンツの継続閲覧を開始するためのアイコン画像（以下、「アイコン画像」という）が表示されており、ロック画面は、アイコン画像を表示する領域を有するアイコン表示画面である。図２（ａ）においては、円形の画像内にＣ１という文字が付されたアイコン画像が表示されているが、アイコン画像の態様は任意である。ロック画面は、通信端末１のユーザ以外が無断で通信端末１の記憶媒体に記憶されているコンテンツにアクセスすることを防ぐ画面であり、パスワード等の認証情報を入力する操作が行われることにより解除される。
【００２２】
アイコン画像は、継続閲覧をできる状態であることをユーザに示すという役割と、ユーザが継続閲覧を開始するための指示操作を受け付けるという役割を持っている。ユーザがアイコン画像にタッチすると、パスワード等の認証情報を入力する画面が表示される。ユーザが、表示された画面において認証情報を入力すると、図２（ｂ）のように、通信端末２で閲覧されていたコンテンツが表示部１２に表示される。
【００２３】
なお、図２においては、ユーザが通信端末２において閲覧していたコンテンツが表示部２２に表示されている状態を示しているが、図２（ａ）及び図２（ｂ）のいずれにおいても、表示部２２にコンテンツが表示されているか否かは任意である。通信端末１は、表示部２２にコンテンツが表示されていない場合であっても、過去にユーザが閲覧していたコンテンツがある場合、図２（ａ）に示すようにアイコン画像を表示させ、ユーザがアイコン画像にタッチしたことに応じて、通信端末２においてユーザが過去に閲覧していたコンテンツを表示させることができる。
【００２４】
［通信端末１の構成］
以下、通信端末１の構成について説明する。なお、通信端末２も通信端末１と同等の構成を有している。以下の説明において、通信端末２を他端末と称する場合がある。
図３は、通信端末１の構成を示す図である。通信端末１は、操作部１１及び表示部１２と、通信部１３と、記憶部１４と、制御部１５とを有する。
【００２５】
操作部１１は、ユーザによる操作を受け付ける。操作部１１は、図１に示した電源ボタンＰ１、及び表示部１２に重ねて設けられているタッチパネルを含む。操作部１１は、ユーザが操作をしたことを検出し、検出した操作内容を示す操作情報を制御部１５に通知する。
【００２６】
表示部１２は、例えば液晶パネル及びバックライトを含んでいる。表示部１２は、後述の表示制御部１５４の制御により、アイコン画像、閲覧履歴及びコンテンツ等を表示する。
【００２７】
通信部１３は、例えばＢＬＥの電波を送受信することができる無線ユニットを含んでいる。通信部１３は、通信端末２から送信された電波を受信するとともに、通信端末２に対して電波を送信する。
【００２８】
記憶部１４は、ＲＯＭ（Read Only Memory）及びＲＡＭ（Random Access Memory）等の記憶媒体である。記憶部１４は、制御部１５が実行するプログラムを記憶している。また、ペアリングしている他の端末の端末ＩＤを記憶している。
【００２９】
また、記憶部１４は、表示部１２に表示されたコンテンツの履歴を示す閲覧履歴情報を記憶している。閲覧履歴情報は、通信端末１がコンテンツにアクセスするために用いる情報である。コンテンツが、Ｗｅｂブラウザを用いて閲覧できるＷｅｂコンテンツである場合、閲覧履歴情報は、コンテンツの取得先のＵＲＬである。
【００３０】
制御部１５は、例えばＣＰＵ（Central Processing Unit）である。制御部１５は、記憶部１４に記憶された継続閲覧用プログラムを実行することにより、ロック制御部１５１、取得部１５２、画面生成部１５３、表示制御部１５４及び履歴送信部１５５として機能する。制御部１５は、継続閲覧用プログラムの他にも電話機能やメール送受信機能などを実現するためのプログラムを実行する。
【００３１】
ロック制御部１５１は、ロック画面を制御する。具体的には、ロック制御部１５１は、電源オフ状態又はスタンバイ状態において電源ボタンＰ１が押されたことを契機としてロック画面を表示させ、ロック画面を表示させたことを取得部１５２に通知する。なお、ロック制御部１５１がロック画面を表示させる契機としては、電源ボタンＰ１が押されたことに限られず、ロック制御部１５１は、通信端末１に内蔵された加速度センサ、磁気センサ又は指紋センサ等の検出値の変化を用いてもよい。
【００３２】
ロック制御部１５１は、ロック画面の表示中に、アイコン画像がタッチされたことを取得部１５２から通知されると、認証情報を入力する画面を表示する。ロック制御部１５１は、操作部１１から入力される操作情報に基づいて、ロック画面が表示されている間にユーザが認証情報を入力したことを検知するとロック画面を解除し、ロック画面を解除したことを、ＯＳ（Operating System）を介して他のプログラムに通知する。
【００３３】
取得部１５２は、通信部１３を介して各種の情報を取得する。例えば、取得部１５２は、ペアリングされた他端末で閲覧されていたコンテンツを特定するための閲覧履歴情報を、無線通信回線Ｗを介して他端末から取得する。また、取得部１５２は、他端末で閲覧されていたコンテンツを、外部のサーバ及び他端末等から取得する。例えば、取得部１５２は、コンテンツ提供元のサーバやクラウド環境から取得してもよく、他端末から直接取得してもよい。
【００３４】
取得部１５２は、例えば、ロック制御部１５１から、ロック画面を表示させた通知を受けたことを契機として、他端末に対して、閲覧履歴情報を要求する要求情報を送信することにより、閲覧履歴情報を他端末から取得する。取得部１５２は、閲覧履歴情報を取得すると、表示制御部１５４を介して、継続閲覧が可能であることを示すアイコン画像を表示部１２に表示する。
【００３５】
取得部１５２は、アイコン画像を表示した後に、アイコン画像にタッチする操作が行われるかを監視する。取得部１５２は、操作部１１から入力された操作情報に基づいて、ユーザがアイコン画像にタッチしたことを検出すると、アイコン画像がタッチされたことをロック制御部１５１に通知する。
なお、取得部１５２は、所定の時間が経過しても他端末から閲覧履歴情報が送信されてこない場合には、アイコン画像を表示しない。
【００３６】
また、取得部１５２は、ロック画面が解除されてから所定の時間が経過するまでの間、アイコン画像を表示させ、所定の時間が経過した後に、アイコン画像の表示を停止させるようにしてもよい。このように、ロック画面が解除されてからもしばらくの間はアイコン画像を表示しておくことで、ユーザは、通信端末１のロックを解除して操作を開始した後に、他端末で閲覧していたコンテンツの継続閲覧をしたいと考えた時に、容易に継続閲覧をすることが可能になる。
【００３７】
取得部１５２は、ユーザによる設定内容に応じて、閲覧履歴情報に含める対象とするコンテンツの種別を指定する情報を含む要求情報を他端末に送信することにより、他端末から取得する閲覧履歴情報の内容を制御することができる。取得部１５２は、例えば、閲覧履歴情報に含める対象とするコンテンツの種別として、自端末の画面の大きさ、自端末の機能、自端末にインストールされているアプリケーションソフトの種類等の通信端末１の特性に対応するコンテンツの閲覧履歴情報を要求するための要求情報を他端末に送信する。このようにすることで、例えば、大きな画面で編集していたコンテンツのように、小さな画面の通信端末１で閲覧する可能性がないコンテンツや、再生することができないコンテンツの閲覧履歴情報が取得されることを防止できる。
【００３８】
取得部１５２は、ユーザによって予め指定された種別のコンテンツに対する要求情報を他端末に送信してもよい。例えば、ユーザが、通信端末２においてはブラウザで閲覧するＷｅｂコンテンツ以外を閲覧しないと決めている場合、取得部１５２は、Ｗｅｂコンテンツを指定する情報を含む要求情報を他端末に送信することで、Ｗｅｂコンテンツの閲覧履歴のみが含まれる閲覧履歴情報を取得することができる。
【００３９】
また、取得部１５２は、ユーザによる設定内容に応じて、他端末において閲覧の途中であったコンテンツの閲覧履歴情報を他端末から取得することもできる。この場合、他端末において閲覧された画面が閉じられたコンテンツの閲覧履歴が閲覧履歴情報に含まれないので、ユーザが、他端末で閲覧が終了しており、継続閲覧をする必要がないコンテンツを表示させてしまうことを防止できる。
【００４０】
画面生成部１５３は、取得部１５２が取得した閲覧履歴情報に基づいて、他端末で閲覧していたコンテンツを含む画面データを生成する。閲覧履歴情報が、他端末において直前まで閲覧されていたコンテンツの取得先アドレス（例えば、ＵＲＬ）を含んでいる場合、画面生成部１５３は、取得部１５２に取得先アドレスにアクセスさせることにより、他端末において閲覧されていたコンテンツを取得する。画面生成部１５３は、取得したコンテンツを含む画面データを生成し、表示制御部１５４を介して画面データを表示部１２に表示させる。
【００４１】
画面生成部１５３は、取得部１５２が取得した閲覧履歴情報が複数の閲覧履歴を含んでいる場合、閲覧履歴の一覧を表示する画面を生成する。画面生成部１５３は、例えば、自端末における閲覧履歴、及び他端末における閲覧履歴の両方を含む閲覧履歴一覧画面を生成する。
【００４２】
図４は、画面生成部１５３が生成する閲覧履歴一覧画面の例を示す図である。図４（ａ）は、自端末における閲覧履歴と、他端末における閲覧履歴とを混在させて表示させている例を示している。図４（ａ）において白色で示されているコンテンツａ１，ａ２は、他端末における閲覧履歴を示しており、図４（ａ）において斜線で示されているコンテンツｂ１は、自端末における閲覧履歴を示している。
【００４３】
図４（ａ）に示す例において、画面生成部１５３は、直近に閲覧されたコンテンツが手前に表示されるように画面データを構成する。例えば、現在の時刻が１９：００であり、ユーザが、１７：００に他端末（通信端末２）を用いてメールを閲覧し、１８：００に自端末（通信端末１）を用いて写真を閲覧し、１８：４５に他端末（通信端末２）を用いてブラウザでニュースを閲覧したとする。ユーザは、１９：００の時点で図４（ａ）の画面において最も手前に表示されているコンテンツａ１にタッチすることで、直前に他端末で閲覧していたニュースの続きを閲覧することができる。また、その際、ユーザが１７：００に他端末で閲覧していたメールを再確認したいと思った時には、奥側に表示されているコンテンツａ２にタッチすることで、メールを閲覧することができる。
【００４４】
図４（ｂ）に示す例において、画面生成部１５３は、他端末の履歴を表示する領域１２１に、他端末において直近に閲覧されたコンテンツが手前に表示されるように画面データを構成する。また、画面生成部１５３は、自端末の履歴を表示する領域１２２に、自端末において直近に閲覧されたコンテンツが手前に表示されるように画面データを構成する。このようにすることで、ユーザは、閲覧したいコンテンツを見つけやすくなる。
【００４５】
画面生成部１５３は、閲覧履歴一覧画面においてユーザが選択したコンテンツを速やかに表示するために、取得部１５２が閲覧履歴情報を取得した後に、閲覧履歴情報に含まれているコンテンツを順次取得して、取得したコンテンツを記憶部１４に記憶する。この際、画面生成部１５３は、閲覧された時刻が現在の時刻に近い順に、コンテンツを取得する。このようにすることで、ユーザが継続閲覧の操作をした時点で、継続閲覧される確率が最も高い、直近に閲覧されたコンテンツが記憶部１４に記憶されている可能性が高いので、ユーザが継続閲覧をする際に、ほぼ確実にコンテンツを閲覧することができる。
【００４６】
なお、閲覧履歴情報には、他端末におけるコンテンツの閲覧状態を示す情報が含まれており、画面生成部１５３は、他端末で閲覧されたコンテンツを特定するための情報に関連付けて、他端末でどこまで閲覧していたかを示す情報を含む画面データを生成してもよい。画面生成部１５３は、例えば、他端末で動画コンテンツが閲覧されていた場合に、どの位置まで閲覧されていたかを示す情報を含む画面データを生成することができる。
【００４７】
表示制御部１５４は、画面生成部１５３が生成した画面データを表示部１２に表示させる。表示制御部１５４は、取得部１５２から、閲覧履歴情報を取得したことの通知を受けると、閲覧履歴情報を取得したことを示すアイコン画像をロック画面内に表示させる。また、表示制御部１５４は、ユーザがアイコン画像を選択したことを示す操作情報が操作部１１から入力されると、取得部１５２が取得した閲覧履歴情報に対応する図４に示す画面を表示させる。
【００４８】
履歴送信部１５５は、他端末から、コンテンツの閲覧要求をする要求情報を受けた場合、記憶部１４に記憶された閲覧履歴情報を読み出して、閲覧履歴情報を他端末に送信する。履歴送信部１５５は、閲覧履歴情報に含める対象とするコンテンツの種別を指定する情報を含む要求情報を受けた場合、閲覧履歴のうち、指定されたコンテンツの種別に対応するコンテンツを選択し、選択したコンテンツの閲覧履歴のみを含む閲覧履歴情報を作成して他端末に送信する。例えば、他端末から、他端末の画面の大きさに適したコンテンツの閲覧履歴を要求された場合、他端末の画面の大きさに適したコンテンツの閲覧履歴のみを含む閲覧履歴情報を送信する。このようにすることで、例えば、大きな画面で編集していたコンテンツのように、小さな画面の他端末で閲覧する可能性がないコンテンツの閲覧履歴情報が取得されることを防止できる。
【００４９】
［通信システムＳにおける動作シーケンス］
図５は、通信システムＳにおける動作シーケンスを示す図である。図５においては、通信端末２がコンテンツＡを表示する時点から開始している（Ｓ２１）。通信端末２は、コンテンツＡを表示すると、記憶部１４に記憶されている閲覧履歴情報にコンテンツＡの閲覧履歴を追加することにより、閲覧履歴情報を更新する（Ｓ２２）。
【００５０】
その後、ユーザが通信端末２を用いたコンテンツの閲覧を終了し、通信端末１の電源ボタンＰ１を押すと（Ｓ１１）、通信端末１はロック画面を表示する（Ｓ１２）。通信端末１は、ロック画面を表示すると、予めペアリングされた通信端末２に対して、閲覧履歴情報を取得するための要求情報を送信する（Ｓ１３）。通信端末２は、要求情報を取得すると、記憶部１４に記憶されている閲覧履歴情報を通信端末１に送信する。
【００５１】
通信端末１は、閲覧履歴情報を受信すると、継続閲覧をすることができる閲覧履歴があることを示すアイコン画像を表示する（Ｓ１４）。その後、通信端末１は、アイコン画像がタッチされたかどうかを監視し（Ｓ１５）、アイコン画像がタッチされた場合に、閲覧履歴情報において通信端末２において直前に閲覧されたコンテンツＡを取得して、表示部１２に表示する（Ｓ１６）。
【００５２】
図６は、通信端末１において電源ボタンＰ１が押されてからの動作シーケンスを示す図である。制御部１５は、通信端末１の基本機能を司る基本アプリケーションソフトを実行することにより、電源ボタンＰ１が押されたことを検出すると（Ｓ１１）、通信端末１にインストールされている継続閲覧用アプリケーションソフトに対して、ロック画面を表示するための指示を送信する。継続閲覧用アプリケーションソフトは、通信端末２の継続閲覧用アプリケーションソフトに対して、閲覧履歴情報を要求する。
【００５３】
通信端末２の継続閲覧用アプリケーションソフトは、閲覧履歴情報の要求を受けると、通信端末２の基本アプリケーションソフトに対して、閲覧履歴情報の要求を受けた時点で表示部１２に表示していたコンテンツのうち、最上位に表示していたコンテンツを特定するための情報を、通信端末２の基本アプリケーションソフトに通知する。通信端末２の基本アプリケーションソフトは、通知された情報に基づいて、最上位に表示していたコンテンツを取得するためのアドレスを特定し、特定したアドレス（図６においてはＵＲＬ）を通信端末２の継続閲覧用アプリケーションソフトに通知する。
【００５４】
通信端末２の継続閲覧用アプリケーションソフトは、通信端末２の基本アプリケーションソフトから通知されたアドレスを、通信端末１の継続閲覧用アプリケーションソフトに通知する。通信端末１の継続閲覧用アプリケーションソフトは、通信端末２の継続閲覧用アプリケーションソフトからアドレスの通知を受けると、アイコン画像を表示させる。通信端末１の基本ソフトは、アイコン画像がタッチされたことを検出すると、通信端末２に対して、通信端末２から通知されたアドレスに対応するコンテンツＡを取得して再生するように指示する。
【００５５】
［変形例１］
図２においては、継続閲覧をすることができることを示すアイコン画像は、ロック画面内に一つだけ表示されていたが、通信端末１は、継続閲覧をすることができることを示すアイコン画像を、複数表示してもよい。例えば、取得部１５２は、閲覧履歴情報を要求するための要求情報を他端末に送信することにより、他端末で閲覧されていた複数のコンテンツの閲覧履歴が含まれる閲覧履歴情報を取得する。そして、表示制御部１５４は、閲覧履歴情報が示す複数のコンテンツのそれぞれに対応するアイコン画像を表示させる。
【００５６】
図７は、変形例におけるアイコン画像を表示した状態の画面の一例を示す図である。図７（ａ）においては、画面の左下に、Ｃ１、Ｃ２、Ｃ３という３つのコンテンツに対応するアイコン画像が表示されている。アイコン画像Ｃ１は、他端末において直前に閲覧されていたコンテンツｃ１に対応しており、アイコン画像Ｃ２は、他端末において、コンテンツｃ１よりも前に閲覧されていたコンテンツｃ２に対応しており、アイコン画像Ｃ３は、他端末においてコンテンツｃ２よりも前に閲覧されていたコンテンツｃ３に対応している。
【００５７】
画面生成部１５３は、複数のアイコン画像のうち一のアイコン画像が選択されると、一のアイコン画像が選択されたことをロック制御部１５１に通知して、ロック画面を解除するための認証情報入力画面を表示させる。また、画面生成部１５３は、選択されたアイコン画像を特定する情報を取得部１５２に通知する。取得部１５２は、通知された情報に基づいて、選択されたアイコン画像に対応するコンテンツを取得する。表示制御部１５４は、複数のアイコン画像から一のアイコン画像が選択された場合には、取得部１５２が閲覧履歴情報を受信したことに応じて、閲覧履歴情報に含まれる複数の履歴を表示するのではなく、選択されたアイコン画像に対応するコンテンツの閲覧履歴を表示部１２に表示させる。
【００５８】
図７（ｂ）は、複数のアイコン画像を表示する場合の他の例を示す図である。図７（ｂ）においては、各アイコン画像の態様が異なる点で、図７（ａ）と異なる。図７（ｂ）における円形のアイコン画像は、Ｗｅｂコンテンツを閲覧した履歴があることを示しており、四角形のアイコン画像は、写真コンテンツを閲覧した履歴があることを示しており、六角形のアイコン画像は、メールを閲覧した履歴があることを示している。画面生成部１５３は、例えば、コンテンツの種別ごとに異なる態様のアイコン画像を表示部１２に表示させる。このようにすることで、ユーザが、アイコン画像を見るだけで、他端末で閲覧された複数種類のコンテンツのうち、継続閲覧をしたいコンテンツを特定することが容易になる。
【００５９】
［変形例２］
図８は、変形例２に係る画面の例を示す図である。図８（ａ）は、取得部１５２が閲覧履歴情報を取得したことに応じて表示制御部１５４が表示する、ユーザが継続閲覧をしたいコンテンツの種類を入力するための画面である。この画面が表示された状態で、ユーザが、いずれかのコンテンツの種類を指定すると、画面生成部１５３は、表示制御部１５４を介して、通知を受けた種類に該当するコンテンツを特定するための情報を表示する。
【００６０】
図８（ｂ）においては、コンテンツを特定するための情報として、各コンテンツのＵＲＬが表示されている。ユーザが、複数のＵＲＬのうち、継続閲覧したいコンテンツに対応するＵＲＬを選択すると、表示制御部１５４は、ユーザにより選択されたＵＲＬに対応するコンテンツを表示部１２に表示する。このようにすることで、ユーザは、所望のコンテンツの継続閲覧をしやすくなる。なお、画面生成部１５３は、アイコン画像がタッチされたことに応じて、図８（ａ）の画面を表示させてもよい。
【００６１】
［変形例３］
以上の説明においては、通信端末１が、電源ボタンＰ１が押されたことに応じて、通信端末２に対して閲覧履歴情報を要求する要求情報を送信し、通信端末２が、要求情報を受信したことに応じて、閲覧履歴情報を通信端末１に送信した。これに対して、通信端末２は、通信端末１から要求情報を受信することなく、通信端末１に閲覧履歴情報を送信してもよい。
【００６２】
図９は、変形例３における動作シーケンスを示す図である。図９では、まず、ステップ２１において、ユーザがコンテンツＡを閲覧し、閲覧履歴情報を更新する（Ｓ２２）。続いて、通信端末２がステップＳ２３において閲覧履歴情報を送信した後に、ユーザが、通信端末２がステップＳ２３で送信した閲覧履歴情報に含まれるコンテンツＡと異なるコンテンツＢを閲覧した場合（Ｓ２４）、通信端末２は閲覧履歴情報を更新する（Ｓ２５）。そして、通信端末２は、コンテンツＢに関する情報を含む閲覧履歴情報を通信端末１に送信する（Ｓ２６）。
【００６３】
通信端末１においては、ステップＳ２３で送信された閲覧履歴情報を受信すると、アイコン画像を表示する（Ｓ１４）。その後、ユーザがアイコン画像にタッチする前に、ステップＳ２６で送信された閲覧履歴情報を受信すると、通信端末１は、最新の閲覧履歴情報が示す直近に閲覧されたコンテンツＢを表示する（Ｓ１７）。このようにすることで、ユーザは、通信端末１及び通信端末２を並行して操作している場合に、片方の端末で直近に閲覧したコンテンツを他方の端末で継続閲覧することが可能になる。
【００６４】
［本実施形態における効果］
以上説明したように、本実施形態に係る通信端末１は、ペアリングされた通信端末２でのコンテンツの閲覧履歴を取得すると、アイコン画像をロック画面内に表示し、アイコン画像が選択されたことに応じて、閲覧履歴情報に対応する画面を表示させる。このようにすることで、ユーザは、コンテンツを閲覧していた通信端末２において継続閲覧をするための操作をすることなく、新たに操作する通信端末１において、通信端末２で閲覧していたコンテンツを継続して閲覧することが可能になる。
【００６５】
また、通信端末１は、ロック画面を表示した後に、通信端末２で閲覧されていたコンテンツを特定するための閲覧履歴情報を他端末から取得する。通信端末１が閲覧履歴情報を取得してからロック画面を表示する場合、無線通信回線Ｗの通信品質の悪化等の要因で、閲覧履歴情報を取得するまでに長い時間を要すると、ユーザが通信端末１の電源を入れてからロック画面が表示されるまでに長い時間を要してしまい、ユーザが違和感を抱いてしまう。しかし、通信端末１が、ロック画面を表示した後に閲覧履歴情報を取得することで、無線通信回線Ｗの状態によらず、ユーザが通信端末１の電源を入れた直後にロック画面が表示されるので、ユーザが違和感なく操作をすることができる。
【００６６】
また、通信端末１は、通信端末２で閲覧されていた複数のコンテンツのうち、要求情報を送信した時点以前において最後に閲覧されていたコンテンツを特定するための閲覧履歴情報を通信端末２から取得する。このようにすることで、ユーザは、他端末で閲覧していた直近のコンテンツの閲覧を速やかに開始することができる。
【００６７】
また、通信端末１は、通信端末２で閲覧されていた複数のコンテンツの閲覧履歴が含まれる閲覧履歴情報を取得し、閲覧履歴情報が示す複数のコンテンツのそれぞれに対応するアイコン画像を表示させる。このようにすることで、ユーザは、他端末で直前に閲覧したコンテンツ以外のコンテンツの閲覧もすることが可能になる。
【００６８】
また、通信端末１は、ロック画面が解除されてから所定の時間が経過するまでの間、アイコン画像を表示させ、所定の時間が経過した後に、アイコン画像の表示を停止させる。このようにすることで、ユーザが、通信端末１のロックを解除して操作を開始した後に、他端末で閲覧していたコンテンツの継続閲覧をしたいと考えた時に、容易に継続閲覧をすることが可能になる。
【００６９】
また、通信端末１は、他端末から取得した閲覧履歴情報と自端末の閲覧履歴情報とを表示させる。このようにすることで、ユーザが、複数の端末の履歴を統合的に把握した上で、最適なコンテンツを閲覧することが可能になる。
【００７０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
例えば、以上の説明において、アイコン表示画面がロック画面である例について説明したが、アイコン表示画面はロック画面に限らない。アイコン画像を表示する画面は、ロックがかけられていないスタンバイ状態を始めとする他の画面であってもよい。
【符号の説明】
【００７１】
１  通信端末
２  通信端末
１１  操作部
１２  表示部
１３  通信部
１４  記憶部
１５  制御部
２２  表示部
１５１  ロック制御部
１５２  取得部
１５３  画面生成部
１５４  表示制御部
１５５  履歴送信部
Ｓ  通信システム
Ｗ  無線通信回線
【図１】
0006523198.tif 000002
【図２】
0006523198.tif 000003
【図３】
0006523198.tif 000004
【図４】
0006523198.tif 000005
【図５】
0006523198.tif 000006
【図６】
0006523198.tif 000007
【図７】
0006523198.tif 000008
【図８】
0006523198.tif 000009
【図９】
0006523198.tif 000010